(57)【要約】【課題】合焦評価値における疑似ピークの発生に起因する誤合焦の発生を簡易に防止することのできる合焦評価値検出装置及びデジタルカメラを得る。【解決手段】評価値積算エリア制御部４０により、被写体の撮像画像における合焦状態の評価対象とする領域である評価領域において輝度情報が最初にフィルタ３６に入力されるタイミングで当該フィルタ３６をリセットすると共に、前記評価領域内の輝度情報がフィルタ３６に入力される際に、前記評価領域において最初にフィルタ３６に入力される前記輝度情報を規準値として各輝度情報にオフセットをかけるオフセット処理を実行するようにデータオフセット部３４を制御する。【選択図】図１
2008180867.tif 000002
【特許請求の範囲】
【請求項１】
被写体を撮像することによって得られた輝度情報が画素単位で画素配列順に入力され、入力された輝度情報から予め定められた周波数帯域の成分をリアルタイムで抽出して出力し、かつ外部からリセットされることにより出力が略零となるフィルタと、
前記被写体の撮像画像における合焦状態の評価対象とする領域である評価領域を対象として前記フィルタから出力された成分を積算することにより合焦評価値を検出する検出手段と、
前記評価領域において前記輝度情報が最初に前記フィルタに入力されるタイミングで前記フィルタをリセットすると共に、前記評価領域内の輝度情報が前記フィルタに入力される際に、前記評価領域において最初に前記フィルタに入力される前記輝度情報を規準値として各輝度情報にオフセットをかけるオフセット処理を実行するように制御する制御手段と、
を備えた合焦評価値検出装置。
【請求項２】
前記評価領域が１つの前記撮像画像について複数設けられている
請求項１記載の合焦評価値検出装置。
【請求項３】
前記フィルタはＩＩＲ型フィルタである
請求項１又は請求項２記載の合焦評価値検出装置。
【請求項４】
請求項１乃至請求項３の何れか１項に記載の合焦評価値検出装置と、
前記被写体を撮像することにより前記撮像画像を示す画像信号を取得する撮像手段と、
前記撮像手段によって取得された画像信号に基づいて前記合焦評価値検出装置の前記フィルタに入力すべき前記輝度情報を生成する生成手段と、
前記撮像手段の撮像領域に前記撮像画像を結像させる結像光学系と、
前記合焦評価値検出装置の前記検出手段によって検出された前記合焦評価値が最大となるように前記結像光学系を制御する合焦制御手段と、
を備えたデジタルカメラ。
【発明の詳細な説明】
【技術分野】
【０００１】
本発明は、合焦評価値検出装置及びデジタルカメラに係り、特に、自動合焦制御を行うために用いられる合焦評価値を検出する合焦評価値検出装置、及び当該合焦評価値検出装置を用いて合焦制御を行うデジタルカメラに関する。
【背景技術】
【０００２】
近年、ＣＣＤ（Charge Coupled Device）エリア・センサ、ＣＭＯＳ（Complementary Metal Oxide Semiconductor）イメージ・センサ等の固体撮像素子の高解像度化に伴い、デジタル電子スチルカメラ、デジタルビデオカメラ、携帯電話機、ＰＤＡ（Personal Digital Assistant，携帯情報端末）等の撮影機能を有する情報機器の需要が急増している。なお、以上のような撮影機能を有する情報機器を「デジタルカメラ」と総称する。
【０００３】
また、この種のデジタルカメラには、一般に、自動的に焦点を合わせる自動合焦機能（所謂オートフォーカス機能）が搭載されている。
【０００４】
この自動合焦機能には種々の方式があるが、撮像によって得られた画像信号により得られる輝度情報に基づいて、予め定められた合焦対象とする領域内におけるコントラストの高さを示す合焦評価値を導出し、当該合焦評価値が最大となるように結像光学系を制御することにより合焦させる方式（所謂コントラストＡＦ方式）が主流となっている。なお、上記合焦対象とする領域は、フォーカス・エリア、測距エリア等とも呼ばれるが、ここでは、「評価領域」と称する。
【０００５】
ところで、コントラストＡＦ方式では、一般に、画像信号から得られる輝度情報に対してハイ・パス・フィルタ（High Pass Filter，以下、「ＨＰＦ」ともいう。）や、バンド・パス・フィルタ（Band Pass Filter，以下、「ＢＰＦ」ともいう。）等によるフィルタリングを行い、フィルタからの評価領域内に対応する出力の積算値を導出することによって合焦評価値を得るようにしている。なお、上記合焦評価値は、ＡＦ評価値、コントラスト評価値等と呼ばれることもある。
【０００６】
従来、このようなコントラストＡＦ方式を適用する場合、被写体像における高輝度部分により合焦評価値に擬似的にピークが発生し、誤合焦となってしまう場合があった。
【０００７】
これを解決するために、特許文献１及び特許文献２には、高輝度部分の存在しない撮像領域で合焦評価値を得ることにより、正確に合焦させる技術が開示されている。
【０００８】
また、特許文献３には、複数の評価領域に存在する高輝度被写体の面積に応じて各評価領域毎に重み付けを行い、各評価領域の重み付け後の高域成分レベルを加算して合焦評価値を導出することにより、高輝度部分の疑似ピークを抑制する技術が開示されている。
【０００９】
更に、特許文献４には、高輝度画像の割合に基づいて合焦評価値を補正する技術が開示されている。
【特許文献１】特開平６−１４２３６号公報
【特許文献２】特開２００２−１８２１０６号公報
【特許文献３】特開平８−３２１９８５号公報
【特許文献４】特開２００５−１２２０１６号公報
【発明の開示】
【発明が解決しようとする課題】
【００１０】
しかしながら、上記高輝度部分の存在しない撮像領域で合焦評価値を得る技術では、ＨＰＦやＢＰＦの応答特性により、評価領域内の合焦評価値に影響を及ぼしてしまい、正確に合焦することができない場合がある、という問題点があった。このことを、図面を参照して説明する。
【００１１】
図８には、ＩＩＲ（Infinite Impulse Response）型フィルタによるインパルス応答の一例が示されている。
【００１２】
同図に示されるように、コントラストが大きい画像位置に対応する入力信号（輝度情報）が入力された場合のフィルタ出力は、当該コントラストの影響による振動状態が比較的長く続いてしまう。このため、一例として図９に示される被写体像では、左上部に高輝度領域が存在することにより、評価領域におけるフィルタ出力には、当該高輝度領域の影響が残存してしまい、一例として図１０に示すように、実際の合焦点よりも手前側に合焦評価値の疑似ピークが発生してしまう結果、誤合焦が生じてしまう場合があるのである。
【００１３】
また、上記特許文献３及び特許文献４に開示されている技術では、高輝度被写体の面積や割合を導出する必要があり、合焦評価値の導出に手間がかかる、という問題点があった。
【００１４】
本発明は上記問題点を解決するためになされたものであり、合焦評価値における疑似ピークの発生に起因する誤合焦の発生を簡易に防止することのできる合焦評価値検出装置及びデジタルカメラを提供することを目的とする。
【課題を解決するための手段】
【００１５】
上記目的を達成するために、請求項１に記載の合焦評価値検出装置は、被写体を撮像することによって得られた輝度情報が画素単位で画素配列順に入力され、入力された輝度情報から予め定められた周波数帯域の成分をリアルタイムで抽出して出力し、かつ外部からリセットされることにより出力が略零となるフィルタと、前記被写体の撮像画像における合焦状態の評価対象とする領域である評価領域を対象として前記フィルタから出力された成分を積算することにより合焦評価値を検出する検出手段と、前記評価領域において前記輝度情報が最初に前記フィルタに入力されるタイミングで前記フィルタをリセットすると共に、前記評価領域内の輝度情報が前記フィルタに入力される際に、前記評価領域において最初に前記フィルタに入力される前記輝度情報を規準値として各輝度情報にオフセットをかけるオフセット処理を実行するように制御する制御手段と、を備えている。
【００１６】
請求項１に記載の合焦評価値検出装置によれば、被写体を撮像することによって得られた輝度情報が画素単位で画素配列順に入力され、かつ外部からリセットされることにより出力が略零となるものとされたフィルタにより、入力された輝度情報から予め定められた周波数帯域の成分がリアルタイムで抽出されて出力される。なお、上記略零とは、基本的には零であるが、上記フィルタの電気的特性や、使用環境の違い等に起因する誤差を許容する範囲内で零、ということを意味する。
【００１７】
また、本発明では、検出手段により、前記被写体の撮像画像における合焦状態の評価対象とする領域である評価領域を対象として前記フィルタから出力された成分が積算されることにより合焦評価値が検出される。
【００１８】
ここで、本発明では、制御手段により、前記評価領域において前記輝度情報が最初に前記フィルタに入力されるタイミングで前記フィルタがリセットされると共に、前記評価領域内の輝度情報が前記フィルタに入力される際に、前記評価領域において最初に前記フィルタに入力される前記輝度情報を規準値として各輝度情報にオフセットをかけるオフセット処理が実行されるように制御される。
【００１９】
このように、請求項１に記載の合焦評価値検出装置によれば、被写体の撮像画像における合焦状態の評価対象とする領域である評価領域において輝度情報が最初にフィルタに入力されるタイミングで当該フィルタをリセットすると共に、前記評価領域内の輝度情報が前記フィルタに入力される際に、前記評価領域において最初に前記フィルタに入力される前記輝度情報を規準値として各輝度情報にオフセットをかけるオフセット処理を実行するように制御しているので、合焦評価値における疑似ピークの発生を防止することができる結果、当該疑似ピークの発生に起因する誤合焦の発生を簡易に防止することができる。
【００２０】
なお、本発明は、請求項２に記載の発明のように、前記評価領域が１つの前記撮像画像について複数設けられているものとしてもよい。これにより、複数の評価領域における合焦評価値の疑似ピークの発生を防止することができる結果、誤合焦の発生を、より高いレベルで防止することができる。
【００２１】
また、本発明は、請求項３に記載の発明のように、前記フィルタがＩＩＲ型フィルタであるものとしてもよい。これにより、前記フィルタとしてＦＩＲ（Finite Impulse Response）型フィルタを適用する場合に比較して、フィルタ構成を簡易化することができる。
【００２２】
一方、上記目的を達成するために、請求項４に記載のデジタルカメラは、請求項１乃至請求項３の何れか１項に記載の合焦評価値検出装置と、前記被写体を撮像することにより前記撮像画像を示す画像信号を取得する撮像手段と、前記撮像手段によって取得された画像信号に基づいて前記合焦評価値検出装置の前記フィルタに入力すべき前記輝度情報を生成する生成手段と、前記撮像手段の撮像領域に前記撮像画像を結像させる結像光学系と、前記合焦評価値検出装置の前記検出手段によって検出された前記合焦評価値が最大となるように前記結像光学系を制御する合焦制御手段と、を備えている。
【００２３】
請求項４に記載のデジタルカメラは、本発明の合焦評価値検出装置が備えられる一方、撮像手段により、前記被写体が撮像されることにより前記撮像画像を示す画像信号が取得され、生成手段により、前記撮像手段によって取得された画像信号に基づいて前記合焦評価値検出装置の前記フィルタに入力すべき前記輝度情報が生成される。なお、上記撮像手段には、ＣＣＤエリア・センサ、ＣＭＯＳイメージ・センサ等の固体撮像素子が含まれる。
【００２４】
そして、本発明では、合焦制御手段により、前記合焦評価値検出装置の前記検出手段によって検出された前記合焦評価値が最大となるように、前記撮像手段の撮像領域に前記撮像画像を結像させる結像光学系が制御される。
【００２５】
このように、請求項４に記載のデジタルカメラによれば、本発明の合焦評価値検出装置によって検出された合焦評価値が最大となるように、撮像手段の撮像領域に撮像画像を結像させる結像光学系を制御しているので、本発明の合焦評価値検出装置と同様に、合焦評価値における疑似ピークの発生に起因する誤合焦の発生を簡易に防止することができる。
【発明の効果】
【００２６】
本発明の合焦評価値検出装置によれば、被写体の撮像画像における合焦状態の評価対象とする領域である評価領域において輝度情報が最初にフィルタに入力されるタイミングで当該フィルタをリセットすると共に、前記評価領域内の輝度情報が前記フィルタに入力される際に、前記評価領域において最初に前記フィルタに入力される前記輝度情報を規準値として各輝度情報にオフセットをかけるオフセット処理を実行するように制御しているので、合焦評価値における疑似ピークの発生を防止することができる結果、当該疑似ピークの発生に起因する誤合焦の発生を簡易に防止することができる、という効果が得られる。
【００２７】
また、本発明のデジタルカメラによれば、本発明の合焦評価値検出装置によって検出された合焦評価値が最大となるように、撮像手段の撮像領域に撮像画像を結像させる結像光学系を制御しているので、本発明の合焦評価値検出装置と同様に、合焦評価値における疑似ピークの発生に起因する誤合焦の発生を簡易に防止することができる、という効果が得られる。
【発明を実施するための最良の形態】
【００２８】
以下、図面を参照して、本発明の実施の形態について詳細に説明する。なお、ここでは、本発明を、静止画像の撮影を行うデジタル電子スチルカメラ（以下、「デジタルカメラ」という。）に適用した場合について説明する。
【００２９】
まず、図１を参照して、本実施の形態に係るデジタルカメラ１０の構成を説明する。
【００３０】
同図に示されるように、デジタルカメラ１０には、被写体を撮像するための処理を行う撮像系２０と、撮像系２０により撮像された被写体像を再生するための処理を行う再生系３０とが備えられている。
【００３１】
撮像系２０は、フォーカス・レンズを含む光学レンズユニットを内蔵し、当該光学レンズユニットにより被写体像を結像させる光学ユニット２２と、光学ユニット２２の光軸後方に配設されたＣＣＤエリア・センサ（以下、「ＣＣＤ」という。）２４と、入力されたアナログ信号に対して相関２重サンプリング処理等の各種のアナログ信号処理を行うアナログ信号処理部２６と、入力されたアナログ信号をデジタルデータに変換するアナログ／デジタル変換器（以下、「Ａ／Ｄ」という。）２８と、を備えている。
【００３２】
ＣＣＤ２４の出力端はアナログ信号処理部２６の入力端に、アナログ信号処理部２６の出力端はＡ／Ｄ２８の入力端に、Ａ／Ｄ２８の出力端は再生系３０の後述する撮像回路３２の入力端に、各々接続されている。従って、ＣＣＤ２４から出力された被写体像を示すアナログ信号はアナログ信号処理部２６によって所定のアナログ信号処理が施され、Ａ／Ｄ２８によってデジタル画像データに変換された後に再生系３０に入力される。
【００３３】
また、撮像系２０には、後述するＣＰＵ（中央処理装置）４４に接続されたモータ駆動部２９が備えられており、光学ユニット２２の光学レンズユニットに備えられた、上記フォーカス・レンズを光軸方向に移動させることにより当該フォーカス・レンズによる合焦状態を変化させる不図示の焦点調整モータの駆動がＣＰＵ４４によりモータ駆動部２９を介して制御される。
【００３４】
一方、再生系３０は、Ａ／Ｄ２８から入力されたデジタル画像データに対して各種のデジタル信号処理を施した後、当該デジタル画像データと、評価領域に対応するデジタル画像データが後述するデータオフセット部３４に入力されるタイミングを示すタイミング信号とを出力する撮像回路３２を備えている。なお、本実施の形態に係る撮像回路３２は、上記デジタル画像データを、画素単位で画素配列順に出力する。
【００３５】
また、再生系３０は、撮像回路３２のデジタル画像データを出力する出力端に入力端が接続され、撮像回路３２から入力されたデジタル画像データにより示される輝度情報に対して後述するオフセット処理を行うデータオフセット部３４と、データオフセット部３４の出力端に入力端が接続され、データオフセット部３４から入力された輝度情報から所定周波数帯域の成分をリアルタイムで抽出して出力するフィルタ３６と、フィルタ３６の出力端に接続され、フィルタ３６から入力された周波数成分を積算することにより合焦評価値を生成して出力する積算回路３８と、を備えている。なお、本実施の形態に係るフィルタ３６では、上記所定周波数帯域として３００ｋＨｚ以上の帯域を適用しているが、これに限らず、結果的に合焦評価値を得ることができる周波数帯域であれば如何なる帯域も適用することができる。
【００３６】
更に、再生系３０は、撮像回路３２の上記タイミング信号を出力する出力端に入力端が接続されると共に、上記データオフセット部３４、フィルタ３６、及び積算回路３８に出力端が接続され、これらデータオフセット部３４、フィルタ３６、及び積算回路３８の作動の制御を行う評価値積算エリア制御部４０と、を備えている。
【００３７】
評価値積算エリア制御部４０は、撮像回路３２から入力されたタイミング信号により示されるタイミング（評価領域に対応するデジタル画像データがデータオフセット部３４に入力されるタイミング）に基づいて、データオフセット部３４に対し、当該評価領域に対応する輝度情報のみに対して後述するオフセット処理を行わせ、他の領域に対応する輝度情報については何ら処理を行うことなく出力させることを示す切替信号を、データオフセット部３４に入力する。また、評価値積算エリア制御部４０は、上記タイミング信号により示されるタイミングに基づいて、フィルタ３６に対し、当該フィルタ３６をリセットするためのリセット信号を入力する。更に、評価値積算エリア制御部４０は、上記タイミング信号により示されるタイミングに基づいて、積算回路３８に対し、フィルタ３６から入力された周波数成分の積算の実行を指示する積算指示情報を入力する。
【００３８】
また、再生系３０には、デジタルカメラ１０の全体的な動作を司るＣＰＵ４４と、各種情報を記憶するためのメモリ５０に接続されたメモリ制御部４２と、が備えられており、ＣＰＵ４４及びメモリ制御部４２はシステムバス６０を介して電気的に接続されている。従って、ＣＰＵ４４は、メモリ５０に対し、メモリ制御部４２を介してアクセスすることができる。
【００３９】
ここで、前述した積算回路３８の出力端はメモリ制御部４２に接続されており、積算回路３８において得られた合焦評価値はメモリ制御部４２を介してメモリ５０の所定領域に記憶される。
【００４０】
なお、図１に示される構成は、本発明に特に関係する部分のみを示したものであり、これらの構成要素の他、撮影された被写体像を再生（表示）するＬＣＤ（液晶ディスプレイ）等により構成された表示部、撮影を実行する際に押圧操作されるレリーズ・ボタン、撮影条件や動作モード等の各種設定を行う際に操作される各種スイッチ類、撮影によって得られた画像データ（電子化ファイル）を記憶するための可搬型のメモリ・カード等、デジタルカメラに必要な他の構成要素が設けられていることは言うまでもない。
【００４１】
本実施の形態に係るデジタルカメラ１０に設けられた上記レリーズ・ボタンは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００４２】
そして、デジタルカメラ１０では、上記レリーズ・ボタンを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００４３】
本実施の形態に係るデジタルカメラ１０では、上記ＡＦ機能として前述したコントラストＡＦ方式を採用しており、ＣＰＵ４４は、ＡＦ機能の実行時には、光学ユニット２２に設けられているフォーカス・レンズを光軸方向に移動させつつ、積算回路３８により得られた合焦評価値が最大となるフォーカス・レンズの位置を特定して、当該位置にフォーカス・レンズを位置決めする、所謂山登り制御方式により合焦制御を行う。
【００４４】
次に、図２を参照して、本実施の形態に係るフィルタ３６の構成を説明する。
【００４５】
同図に示すように、フィルタ３６は、４つの２入力１出力の加算器Ａ１〜Ａ４と、５つの１入力１出力の乗算器Ｍ１〜Ｍ５と、２つの遅延回路ＤＬ１〜ＤＬ２と、を備えている。なお、本実施の形態に係るフィルタ３６では、遅延回路ＤＬ１〜ＤＬ２として、Ｄ型フリップ・フロップを適用している。
【００４６】
加算器Ａ１の一方の入力端はデータオフセット部３４の出力端に接続され、加算器Ａ１の出力端は２つに分岐されて乗算器Ｍ１の入力端及び遅延回路ＤＬ１の入力端に接続されている。また、乗算器Ｍ１の出力端は加算器Ａ２の一方の入力端に接続され、加算器Ａ２の出力端は積算回路３８の入力端に接続されている。
【００４７】
一方、遅延回路ＤＬ１の出力端は３つに分岐されて乗算器Ｍ２、乗算器Ｍ３、及び遅延回路ＤＬ２の各々の入力端に接続されている。また、遅延回路ＤＬ２の出力端は２つに分岐されて乗算器Ｍ４及び乗算器Ｍ５の各々の入力端に接続されている。更に、乗算器Ｍ２の出力端は加算器Ａ３の一方の入力端に接続されており、乗算器Ｍ４の出力端は加算器Ａ３の他方の入力端に接続されており、乗算器Ｍ３の出力端は加算器Ａ４の一方の入力端に接続されており、乗算器Ｍ５の出力端は加算器Ａ４の他方の出力端に接続されている。そして、加算器Ａ３の出力端は加算器Ａ１の他方の入力端に接続されており、加算器Ａ４の出力端は加算器Ａ２の他方の入力端に接続されている。
【００４８】
なお、遅延回路ＤＬ１及び遅延回路ＤＬ２の各々のリセット入力端には評価値積算エリア制御部４０のリセット信号を出力する出力端に接続されている。従って、当該リセット信号を入力することにより、フィルタ３６の出力信号を略零とすることができる。
【００４９】
このように、本実施の形態に係るフィルタ３６はＩＩＲ型フィルタにより構成されている。なお、ＩＩＲ型フィルタは従来既知であるので、フィルタ３６の構成についての、これ以上の説明は省略する。
【００５０】
次に、図３を参照して、本実施の形態に係るデジタルカメラ１０における、合焦評価値を検出する際の作用を説明する。なお、図３は、この際にデータオフセット部３４に入力されるデジタル画像データにより示される輝度情報、フィルタ３６にデータオフセット部３４から入力される輝度情報、及び上記リセット信号の各々の一例を示すタイムチャートである。
【００５１】
評価値積算エリア制御部４０は、前述したように、評価領域に対応する輝度情報のみに対してオフセット処理を行わせ、他の領域に対応する輝度情報については何ら処理を行うことなく出力させるものとした切替信号をデータオフセット部３４に入力する。
【００５２】
これに応じて、データオフセット部３４は、一例として図３に示されるように、評価領域内の輝度情報を対象とした、当該評価領域において最初にフィルタ３６に入力する輝度情報（図３では、輝度情報Ｄ２）を規準値として各輝度情報にオフセットをかけるオフセット処理を実行する。これにより、同図に示す例では、評価領域内の輝度情報Ｄ２，Ｄ３，Ｄ４，・・・，Ｄｋが、各々０（＝Ｄ２−Ｄ２），Ｄ３−Ｄ２，Ｄ４−Ｄ２，・・・，Ｄｋ−Ｄ２とされて、フィルタ３６に入力されることになる。
【００５３】
一方、評価値積算エリア制御部４０は、評価領域において輝度情報が最初にフィルタ３６に入力されるタイミングで上記リセット信号をフィルタ３６に入力する。これに応じて、遅延回路ＤＬ１及び遅延回路ＤＬ２がリセットされる結果、フィルタ３６からの出力信号は一旦略零となる。
【００５４】
以上のような輝度情報に対するオフセット処理と、フィルタ３６に対するリセット動作を行わない場合、一例として図４（Ａ）に示されるように、評価領域に対応するフィルタ出力には、その直前の高コントラスト部の影響により、本来存在しないはずの高出力値が生じてしまう。これに対し、上記オフセット処理及び上記リセット動作を行う場合には、一例として図４（Ｂ）に示されるように、評価領域に対応するフィルタ出力に、その直前の高コントラスト部の影響による上記高出力値が生じることはない。この結果、一例として図５に示されるように、図１０に示したような合焦評価値における疑似ピークの発生を防止することができる結果、誤合焦の発生を防止することができる。
【００５５】
以上詳細に説明したように、本実施の形態では、被写体の撮像画像における合焦状態の評価対象とする領域である評価領域において輝度情報が最初にフィルタに入力されるタイミングで当該フィルタをリセットすると共に、前記評価領域内の輝度情報が前記フィルタに入力される際に、前記評価領域において最初に前記フィルタに入力される前記輝度情報を規準値として各輝度情報にオフセットをかけるオフセット処理を実行するように制御しているので、合焦評価値における疑似ピークの発生を防止することができる結果、当該疑似ピークの発生に起因する誤合焦の発生を簡易に防止することができる。
【００５６】
また、本実施の形態では、前記フィルタがＩＩＲ型フィルタであるものとしているので、前記フィルタとしてＦＩＲ型フィルタを適用する場合に比較して、フィルタ構成を簡易化することができる。
【００５７】
なお、本実施の形態では、評価領域が１つの撮像画像（被写体像）について１つのみ設けられている場合について説明したが、本発明はこれに限定されるものではなく、例えば、一例として図６に示されるように、評価領域が１つの撮像画像（被写体像）について複数設けられている形態（多点評価領域）とすることもできる。この場合、一例として図７に示されるように、各評価領域毎に前述したリセット処理及びオフセット処理を実行することになる。これにより、複数の評価領域における合焦評価値の疑似ピークの発生を防止することができる結果、誤合焦の発生を、より高いレベルで防止することができる。
【００５８】
また、本実施の形態では、本発明のフィルタとしてＩＩＲ型フィルタを適用した場合について説明したが、本発明はこれに限定されるものではなく、例えば、ＦＩＲ型フィルタを適用する形態とすることもできる。この場合も、本実施の形態と同様の効果を奏することができる。
【００５９】
その他、本実施の形態に係るデジタルカメラ１０の構成（図１，図２参照。）は一例であり、本発明の主旨を逸脱しない範囲内において、不要な構成要素を削除したり、新たな構成要素を追加したり、電気的な接続状態を変更したりすることができることは言うまでもない。
【００６０】
また、本実施の形態において説明したタイムチャート（図３参照。）も一例であり、本発明の主旨を逸脱しない範囲内において変更することができることは言うまでもない。
【００６１】
更に、本実施の形態では、本発明をデジタル電子スチルカメラに適用した場合について説明したが、本発明は、ＰＤＡ、携帯電話機等、コントラストＡＦ方式によるＡＦ機能を有する情報機器であれば如何なるものにでも適用できることは言うまでもない。
【図面の簡単な説明】
【００６２】
【図１】実施の形態に係るデジタルカメラの電気系の要部構成を示すブロック図である。
【図２】実施の形態に係るデジタルカメラで適用されているフィルタの構成を示すブロック図である。
【図３】実施の形態に係るデジタルカメラの作用の説明に供するタイムチャートである。
【図４】実施の形態に係るデジタルカメラの効果の説明に供する波形図である。
【図５】実施の形態に係るデジタルカメラの効果の説明に供する波形図である。
【図６】実施の形態に係るデジタルカメラの変形例の説明に供する評価領域の一例を示す概略図である。
【図７】実施の形態に係るデジタルカメラの変形例の説明に供する波形図である。
【図８】従来技術の問題点の説明に供する図であり、ＩＩＲ型フィルタによるインパルス応答の一例を示す波形図である。
【図９】従来技術の問題点の説明に供する図であり、高輝度領域を有する被写体像及び評価領域の一例を示す概略図である。
【図１０】従来技術の問題点の説明に供する図であり、疑似ピークの発生状態の一例を示す波形図である。
【符号の説明】
【００６３】
１０    デジタルカメラ
２２    光学ユニット（結像光学系）
２４    ＣＣＤ（撮像手段）
３４    データオフセット部（生成手段）
３６    フィルタ
３８    積算回路（検出手段）
４０    評価値積算エリア制御部（制御手段）
４４    ＣＰＵ（合焦制御手段）
【図１】
2008180867.tif 000003
【図２】
2008180867.tif 000004
【図３】
2008180867.tif 000005
【図４】
2008180867.tif 000006
【図５】
2008180867.tif 000007
【図７】
2008180867.tif 000008
【図８】
2008180867.tif 000009
【図１０】
2008180867.tif 000010
【図６】
2008180867.tif 000011
【図９】
2008180867.tif 000012